(57)【特許請求の範囲】
【請求項１】
被写体を撮像する撮像手段と、
半押し操作と全押し操作が可能な操作部材と、
撮像画角を変化させるための他の操作部と、
前記撮像手段により得られた撮像画像から対象物を検出する検出手段と、
前記操作部材が半押し操作されたことに応じて、前記検出手段により検出された複数の対象物のうちから選択される対象物を変更する変更手段と、
前記操作部材が全押し操作されたことに応じて、選択された対象物を主被写体として撮像するように前記撮像手段を制御する制御手段と、を備え、
前記制御手段は、前記操作部材が半押し操作された状態で前記他の操作部が操作されたときに、前記撮像手段を制御して、前記選択された対象物を中心として画角を変化させることを特徴とする撮像装置。
【請求項２】
前記撮像画像を表示する表示手段を有し、
前記表示手段は、前記選択された対象物を示す情報を前記撮像画像に重畳して表示することを特徴とする請求項１に記載の撮像装置。
【請求項３】
前記選択された対象物を示す情報は選択枠であることを特徴とする請求項２に記載の撮像装置。
【請求項４】
前記変更手段は、前記複数の対象物のうちの１つ対象物を選択することを特徴とする請求項１乃至３のいずれか１項に記載の撮像装置。
【請求項５】
前記対象物は、人の顔であることを特徴とする請求項１乃至４のいずれか１項に記載の撮像装置。
【請求項６】
前記制御手段は、前記主被写体に対する焦点処理、露出調節処理、及びホワイトバランス調節処理のうちの少なくとも１つ処理を行うことで前記対象物を前記主被写体として撮像するように前記撮像手段を制御することを特徴とする請求項１乃至５のいずれか１項に記載の撮像装置。
【請求項７】
前記制御手段は、前記操作部材が半押し操作されてから全押し操作されるまでに経過した時間が予め定められた時間以下のときに、前記全押し操作の直前に選択されていた対象物を前記主被写体として撮像するように前記撮像手段を制御することを特徴とする請求項１乃至６のいずれか１項に記載の撮像装置。
【請求項８】
前記撮像装置は、動画及び静止画の撮像が可能であり、
前記変更手段は、動画撮像中に前記操作部材が半押し操作されると、選択される対象物を変更することを特徴とする請求項１乃至７のいずれか１項に記載の撮像装置。
【請求項９】
前記操作部材は、静止画撮像を指示するための操作部材であることを特徴とする請求項８に記載の撮像装置。
【請求項１０】
前記撮像装置は、動画撮像中に、前記操作部材の全押し操作に応じて静止画の撮像が可能であり、
動画撮像中の前記操作部材の全押し操作に応じて、静止画の撮像を行うか、または、静止画を撮像せずに前記操作部材の半押し操作に応じて選択された対象物を主被写体として撮像するように前記撮像手段を制御するかを、前記操作部材が半押し操作されてから全押し操作されるまでに経過した時間に応じて決定することを特徴とする請求項９に記載の撮像装置。
【請求項１１】
被写体を撮像する撮像手段と、撮像者による半押し操作と全押し操作が可能な操作部材と、撮像画角を変化させるための他の操作部とを備えた撮像装置の制御方法であって、
前記撮像手段により得られた撮像画像から対象物を検出する検出ステップと、
前記操作部材が半押し操作されたことに応じて、前記検出ステップにおいて検出された複数の対象物のうちから選択される対象物を変更する対象物変更ステップと、
前記操作部材が半押し操作された状態で前記他の操作部が操作されたときに、前記撮像手段を制御して、前記選択された対象物を中心として画角を変化させる画角変更ステップと、
前記操作部材が全押し操作されたことに応じて、選択された対象物を主被写体として撮像するように前記撮像手段を制御する制御ステップと、を有することを特徴とする撮像装置の制御方法。
【請求項１２】
被写体を撮像する撮像手段と、撮像者による半押し操作と全押し操作が可能な操作部材と、撮像画角を変化させるための他の操作部とを備えた撮像装置の制御方法をコンピュータに実行させるためのプログラムであって、
前記制御方法は、
前記撮像手段により得られた撮像画像から対象物を検出する検出ステップと、
前記操作部材が半押し操作されたことに応じて、前記検出ステップにおいて検出された複数の対象物のうちから選択される対象物を変更する対象物変更ステップと、
前記操作部材が半押し操作された状態で前記他の操作部が操作されたときに、前記撮像手段を制御して、前記選択された対象物を中心として画角を変化させる画角変更ステップと、
前記操作部材が全押し操作されたことに応じて、選択された対象物を主被写体として撮像するように前記撮像手段を制御する制御ステップと、を有することを特徴とするプログラム。
【発明の詳細な説明】
【技術分野】
【０００１】
本発明は、撮像装置及びその制御方法、並びにプログラムに関し、特に、特定の対象物を検出する撮像装置及びその制御方法、並びにプログラムに関する。
【背景技術】
【０００２】
近年、特定の特徴を持つ対象物を検出し、その対象物に対する撮像動作に関連するフォーカス制御や露出制御、ホワイトバランス調整などの特定の処理を施す撮像装置が知られている。
【０００３】
また、複数の対象物を検出し、そのうち１つを撮像者が選択可能としたものも知られている。例えば、撮像装置が被写体の顔を検出し、撮像時に撮像者が対象とする顔を変更するために一旦専用のモードに入り、そのモードにおいて汎用的な方向操作部材を用いて、対象物（被写体の顔）を選択するものがある。
【０００４】
また、撮像装置が認識した被写体の顔に対し、撮像時には専用の操作部材により顔認識制御のオン／オフを行い、静止画像再生時には画像から認識した顔の周辺を拡大するために、対象の顔を専用部材で変更する技術が開示されている（例えば、特許文献１参照）。
【先行技術文献】
【特許文献】
【０００５】
【特許文献１】特開２００８−０２８９５９号公報
【発明の概要】
【発明が解決しようとする課題】
【０００６】
しかしながら、特許文献１に開示された技術では、対象物を選択するときに、通常撮像時に他の機能に割り当てられている方向操作部材を使用するようになっている。その結果、方向操作部材の機能を変更するために対象物選択用の専用モードを用意する必要があり、操作手番が増えることになる。
【０００７】
さらに、特許文献１にあるように対象物選択用の専用部材を用意する場合、撮像装置の大型化につながることになる。
【０００８】
また、動画撮像時に撮像者が所望する対象物を選択する場合、選択の過程において、フォーカス制御や露出制御、ホワイトバランス調整などの処理を行ってしまうと、撮像動画像が見苦しいものになってしまう。そのため、動画撮像時には、対象物の選択操作及び確定操作の２つの操作が少なくとも必要になる。
【０００９】
本発明の目的は、対象物の変更操作及び確定操作専用の新たな操作部材を設けることなく、撮像者の操作を簡略化した撮像装置及びその制御方法、並びにプログラムを提供することにある。
【課題を解決するための手段】
【００１０】
上記目的を達成するために、請求項１の撮像装置は、被写体を撮像する撮像手段と、半押し操作と全押し操作が可能な操作部材と、撮像画角を変化させるための他の操作部と、前記撮像手段により得られた撮像画像から対象物を検出する検出手段と、前記操作部材が半押し操作されたことに応じて、前記検出手段により検出された複数の対象物のうちから選択される対象物を変更する変更手段と、前記操作部材が全押し操作されたことに応じて、選択された対象物を主被写体として撮像するように前記撮像手段を制御する制御手段と、を備え、前記制御手段は、前記操作部材が半押し操作された状態で前記他の操作部が操作されたときに、前記撮像手段を制御して、前記選択された対象物を中心として画角を変化させることを特徴とする。
【発明の効果】
【００１１】
本発明によれば、対象物の変更操作及び確定操作専用の新たな操作部材を設けることなく、撮像者の操作を簡略化した撮像装置及びその制御方法、並びにプログラムを提供することができる。
【図面の簡単な説明】
【００１２】
【図１】本発明の実施の形態に係るビデオカメラの前方からの外観斜視図である。
【図２】図１におけるビデオカメラの後方からの外観斜視図である。
【図３】図１におけるビデオカメラの電気的構成を示すブロック図である。
【図４】図３におけるＣＰＵにより実行される第１の実施の形態における撮像処理の手順を示すフローチャートである。
【図５】図１における表示部に表示された初期顔を示す画面を示す図である。
【図６】選択変更処理による変更後に表示部に表示された主顔を示す画面を示す図である。
【図７】選択変更処理による変更後に表示部に表示された主顔を示す画面を示す図である。
【図８】選択変更処理による変更後に表示部に表示された主顔を示す画面を示す図である。
【図９】図３におけるＣＰＵにより実行される第２の実施の形態における撮像処理の手順を示すフローチャートである。
【図１０】図３におけるＣＰＵにより実行される第３の実施の形態における撮像処理の手順を示すフローチャートである。
【図１１】図８に示す画面の状態で、図１０のステップＳ３０５における通常ズーム処理後に表示部に表示された画面の一例を示す図である。
【図１２】図８に示す画面の状態で、図１０のステップＳ３０４における顔ズーム処理後に表示部に表示された画面の一例を示す図である。
【発明を実施するための形態】
【００１３】
以下、本発明の実施の形態について図面を参照しながら詳述する。なお、本実施の形態では、撮像装置としてビデオカメラを用いた実施の形態について説明する。
【００１４】
［第１の実施形態］
図１は、本発明の実施の形態に係るビデオカメラ１００の前方からの外観斜視図である。
【００１５】
図１において、ビデオカメラ１００は、レンズ１０１、マイクロフォン１０９、及び表示部１０５を備えている。
【００１６】
レンズ１０１は、フォーカス及びズーム等の光学制御系を含む光学レンズ群及び絞りからなる。マイクロフォン１０９は、音声を音声信号に変換する。表示部１０５は、撮像することで得られた被写体を示す撮像画像を表示する。また、表示部１０５は、必要に応じてビデオカメラ１００の動作状況をオンスクリーン・ディスプレイ情報として表示する。
【００１７】
図２は、図１におけるビデオカメラ１００の後方からの外観斜視図である。
【００１８】
図２において、ビデオカメラ１００は、ズームツマミ１１４ａ、静止画撮像ボタン１１４ｂ、電源ボタン１１４ｃ、モードダイヤル１１４ｄ、動画撮像ボタン１１４ｅ、及び
バッテリ１２３を備える。
【００１９】
ズームツマミ１１４ａは撮像画角をワイド側又はテレ側に変化させるズーム操作を行うためのツマミであり、撮像画角を変化させるための他の操作部に対応する。静止画撮像ボタン１１４ｂは、撮像時に用いられるボタンであり、撮像者による半押し操作と全押し操作が可能な２段階スイッチの操作部材となっている。電源ボタン１１４ｃは、電源をオン／オフするためのボタンである。
【００２０】
モードダイヤル１１４ｄは、ダイヤルを回動動作することで、動画撮像モード、静止画撮像モード、動画再生モード、静止画再生モードを変更するためのダイヤルである。動画撮像ボタン１１４ｅは、押圧動作することで、動画撮像のスタート／ストップを行うためのボタンである。バッテリ１２３は、リチウムイオン電池等であり、ビデオカメラ１００に電源を供給する。
【００２１】
図３は、図１におけるビデオカメラ１００の電気的構成を示すブロック図である。
【００２２】
図３において、ビデオカメラ１００は、上述したレンズ１０１、ＣＣＤなどの撮像素子を含む撮像部１０２、カメラ信号処理部１０３、圧縮伸張処理部１０４、表示部１０５、及び記録再生処理部１０６を備えている。上記撮像部１０２は、被写体を撮像する撮像手段に対応する。 
【００２３】
またビデオカメラ１００は、カード制御部１０７、顔検出処理部１０８、上述したマイクロフォン１０９、音声信号処理部１１０、メモリ１１１、メモリ制御部１１２、及びＣＰＵ１１３を備えている。さらにビデオカメラ１００は、操作部１１４、デジタルＩ／Ｆ１１５、入出力部１１６、電源制御部１１７を備えている。なお、図２に示したズームツマミ１１４ａ、静止画撮像ボタン１１４ｂ、電源ボタン１１４ｃ、モードダイヤル１１４ｄ、及び動画撮像ボタン１１４ｅは、上記操作部１１４としてまとめて表現している。
【００２４】
また、各機能ブロックはそれぞれデータバス１１８を介して互いにデータ通信可能に接続されている。
【００２５】
このようなビデオカメラ１００において、メモリ１１１は、プログラム記憶領域とデータ作業領域を有し、データバス１１８を介して各機能ブロックでタイム・シェアリングして使用され、メモリ制御部１１２により制御及び管理されている。
【００２６】
操作部１１４は、図２に示したキーやボタン等に対する撮像者からの操作に基づいて、ＣＰＵ１１３に対して動作指示する機能を有する。
【００２７】
デジタルＩ／Ｆ１１５は、例えばＨＤＭＩやＵＳＢ等の規格に従い信号を授受する。
【００２８】
メモリーカード１１９は、ＳＤカードやコンパクトフラッシュ(登録商標)等の脱着式のフラッシュメモリーであり、撮像データ及び音声データが記録される。
【００２９】
電源制御部１１７は、バッテリ検出回路、ＤＣ−ＤＣコンバータ、通電するブロックを変更するスイッチ回路等により構成されており、電池の装着の有無、電池の種類、電池残量の検出を行う。
【００３０】
上記構成におけるビデオカメラ１００の撮像動作及び記録動作、再生動作等の基本動作について説明する。
【００３１】
例えば、操作部１１４により撮像動作及び記録動作が指示された場合、被写体からの光は、レンズ１０１により所定の明るさ、画角、及びフォーカス等が制御された光学信号となって撮像部１０２に対して入力される。
【００３２】
撮像部１０２は入力された光学信号を電気信号に変換し、カメラ信号処理部１０３に出力する。カメラ信号処理部１０３はこの電気信号をデジタル画像信号に変換する。そして、この画像信号に対して、色分離、階調補正、及びホワイトバランス調整などの信号処理を施した後出力する。
【００３３】
一方、音声信号処理部１１０は、マイクロフォン１０９より入力された音声信号を所定レベルにゲインコントロールしてデジタル化することで、音声データとして出力する。
【００３４】
圧縮伸張処理部１０４は、カメラ信号処理部１０３から出力された画像データ及び音声信号処理部１１０から出力された音声データを所定の圧縮符号化方式により圧縮符号化する。
【００３５】
記録再生処理部１０６は、圧縮伸張処理部１０４で得られた圧縮符号化後のデータに対して、エラー訂正符号化処理や変調処理等を施す。また、記録再生処理部１０６は、同期、ＩＤなどのデータを付加して記録に適した形態に変換した後、メモリーカード１１９等の記録媒体に記録する。このとき、カード制御部１０７は、メモリーカード１１９の記録制御も行う。
【００３６】
一方、操作部１１４により再生動作が指示された場合、記録再生処理部１０６は、メモリーカード１１９から読み出したデータから元のデジタルデータを検出し、エラー訂正及び復調等の処理を施す。また、記録再生処理部１０６は、ＰＬＬ回路によりこの再生データに同期したクロックを生成する。
【００３７】
圧縮伸張処理部１０４は、記録再生処理部１０６より出力されたデータに対して、所定の圧縮符号化方式に対応した伸張処理を施し、圧縮符号化前の撮像データ及び音声データを取得する。表示部１０５は、圧縮伸張処理部１０４で得られた再生データを表示する。
【００３８】
また操作部１１４によりデジタルＩ／Ｆ１１５からの入力データを記録する指示があった場合、ＣＰＵ１１３はデジタルＩ／Ｆ１１５により、外部装置１２１からの画像データまたは音声データをデジタル信号の状態で入力し、記録再生処理部１０６に送る。
【００３９】
このとき、外部装置１２１からの画像データ、音声データは既に符号化されているものとし、記録再生処理部１０６は前述のようにこの入力データに対して記録に必要な処理を施してメモリーカード１１９などの記録媒体に記録する。
【００４０】
また操作部１１４により、入出力部１１６からの入力信号を記録する指示があった場合、ＣＰＵ１１３は入出力部１１６を制御し、外部装置１２２から出力された画像、音声信号を入力する。
【００４１】
入出力部１１６は外部装置１２２から出力された画像、音声信号をデジタルデータに変換してメモリ１１１に出力する。ＣＰＵ１１３はこのメモリ１１１に記憶された画像、音声データを圧縮伸張処理部１０４に出力して圧縮符号化し、記録再生処理部１０６に送る。
【００４２】
記録再生処理部１０６は前述のようにこの圧縮符号化されたデータに対して記録に必要な処理を施してメモリーカード１１９などの記録媒体に記録する。
【００４３】
顔検出処理部１０８は、カメラ信号処理部１０３から出力された顔検出対象の画像データに水平方向及び垂直方向のバンドパスフィルタを作用させる。これら水平方向及び垂直方向のバンドバスフィルタにより、画像データよりエッジ成分が検出される。
【００４４】
その後、顔検出処理部１０８は、検出されたエッジ成分に関してパターンマッチングを行い、目及び鼻、口、耳の候補群を抽出する。そして、顔検出処理部１０８は、抽出された目の候補群の中から、予め設定された条件（例えば２つの目の距離、傾き等）を満たすものを目の対と判断し、目の対があるもののみ目の候補群として絞り込む。
【００４５】
さらに、顔検出処理部１０８は、絞り込まれた目の候補群とそれに対応する顔を形成する他のパーツ（鼻、口、耳）を対応付け、また、予め設定した非顔条件フィルタを通すことで、特定の対象物である顔を検出する。
【００４６】
顔検出処理部１０８は、顔の検出結果に応じて顔情報（例えば顔の数情報、目及び鼻、口、耳の位置情報）を出力し、処理を終了する。このとき、顔情報をメモリ１１１に記憶する。このように、顔検出処理部１０８は、撮像画像から特定の対象物を検出する検出手段に対応する。
【００４７】
図４は、図３におけるＣＰＵ１１３により実行される第１の実施の形態における撮像処理の手順を示すフローチャートである。
【００４８】
図４に示される撮像処理は、動画撮像モード時における顔選択及び確定処理手順を含んでいる。また、この撮像処理は、撮像者が電源ボタン１１４ｃを押圧することにより電源を入れ、モードダイヤル１１４ｄを動画撮像モードに設定することにより開始される。ここで、動画撮像モード時における顔選択及び確定処理は、撮像中及び撮像待機中に係らず同一の例として説明するため、撮像中及び撮像待機中かの記載については、省略する。
【００４９】
図４において、動画撮像モード処理が開始されると、撮像動画のリアルタイムスルー画像を表示部１０５に表示する（ステップＳ１０１）。次いで、顔検出処理部１０８にて、上述した顔検出処理を行う（ステップＳ１０２）。
【００５０】
ステップＳ１０２にて検出された顔から初期顔選択処理を行う（ステップＳ１０３）。この初期顔選択処理は、顔検出処理部１０８にて検出された顔のうちから、最初に選択する顔を主顔として決定する。決定された主顔に後述する検出枠を重畳して表示部１０５に表示する処理である。最初に選択する顔の決定方法については、例えば、画面の最も左に位置する顔としても良いし、画面中央に最も近い顔としても良い。また、最も大きい顔としても良い。
【００５１】
図５は、図１における表示部１０５に表示された初期顔を示す画面を示す図である。
【００５２】
図５において、初期顔選択処理によって、初期顔には、主顔を示す選択枠５０１が重畳されて表示されることが示されている。なお、初期顔が主顔として選択された際に、顔ＡＦ、顔ＡＥ、顔ＡＷＢ等の、初期顔に対して最適化された撮像処理を行う構成としても良い。
【００５３】
ここで、顔ＡＦとは、検出された顔に対して焦点調節を行うものである。顔ＡＥとは、検出された顔の明るさに合わせて撮像画像全体の露出を最適化する露出調整である。また、顔ＡＷＢとは、検出された顔に合わせてホワイトバランスを調整するホワイトバランス調節である。
【００５４】
このように、初期顔選択処理は、検出された顔のうちから選択された１つの顔であることを示す選択枠５０１（選択画像）を当該顔に重畳させて表示部１０５に表示させる重畳手段に対応する。
【００５５】
次いで、静止画撮像ボタン１１４ｂが半押しされたか否かを判別する（ステップＳ１０４）。ステップＳ１０４の判別の結果、静止画撮像ボタン１１４ｂが半押されたとき、顔選択変更処理を行う（ステップＳ１０５）。この顔選択変更処理は、静止画撮像ボタン１１４ｂが半押し操作されると、選択枠５０１を重畳させる顔を変更する変更手段に対応するが、詳細については後述する。また、ステップＳ１０４では半押しされるまで、半押しされたか否かが判別される。
【００５６】
次いで、静止画撮像ボタン１１４ｂが全押しされたか否かを判別する（ステップＳ１０６）。ステップＳ１０６の判別の結果、静止画撮像ボタン１１４ｂが全押されていないとき、ステップＳ１０４に戻る。一方、静止画撮像ボタン１１４ｂが全押されたと判別されたとき、現在選択中の顔を確定し、顔ＡＦ（焦点処理）、顔ＡＥ（露出調節処理）、顔ＡＷＢ（ホワイトバランス調節処理）等が最適化された撮像処理を行う（ステップＳ１０７）。この時、撮像者に選択中の顔が確定したことを知らせるために、選択枠５０１の形状及び色を変更する構成としても良い。ステップＳ１０７の処理が終了すると、ステップＳ１０４に戻る。このように、ステップＳ１０７は、静止画撮像ボタン１１４ｂが全押し操作されると、選択枠５０１が重畳された顔を主被写体として撮像するように撮像部１０２を制御する。なお、主被写体に対する顔ＡＦ、顔ＡＥ、及び顔ＡＷＢのうちの少なくとも１つ処理を行うことで顔を主被写体として撮像するように撮像部１０２を制御するようにしてもよい。
【００５７】
上記顔選択変更処理について説明する。例えば、現在選択されている顔より右方向に認識している顔があれば、一つ右の顔を主顔として変更する。
【００５８】
図６、図７、及び図８は、選択変更処理による変更後に表示部１０５に表示された主顔を示す画面を示す図である。
【００５９】
図６において、図５で選択顔とされた顔の右の顔に、選択枠５０１が表示されていることが示されている。
【００６０】
なお、図７に示されるように、主顔をされた顔より、右に認識している顔が無い場合もある。そのときは、図８に示されるように、反対方向で最も遠くに位置する顔を主顔として選択する。図８では、反対方向に位置する最も左の顔に主顔が変更されている。
【００６１】
このように、本実施の形態では、主顔を変更する特定方向として右方向を説明したが、変更方法に関してはこの限りではなく、例えば順に左方向に変更しても良いし、上下方向としても良い。あるいは、ランダムに変化して変更しても良い。
【００６２】
図４の処理によれば、静止画撮像ボタン１１４ｂが半押し操作されると、選択枠５０１を重畳させる対象物を変更する。そして、静止画撮像ボタン１１４ｂが全押し操作されると、選択枠５０１が重畳された顔を主被写体として撮像するように撮像部１０２を制御する。その結果、対象物の変更操作及び確定操作専用の新たな操作部材を設けることなく、撮像者の操作を簡略化したビデオカメラ１００を提供することができる。
【００６３】
また、本実施の形態では、撮像者が所望する顔を選択する場合の顔の変更操作及び確定操作に単一の操作部材として、通常動画撮像モード時に使用しない半押しと全押し操作が可能な２段階スイッチである静止画撮像ボタンを使用する。その結果、新たに専用の操作部材を設ける必要が無いため、ビデオカメラ１００の大型化を防止することが可能となる。
【００６４】
さらに、静止画撮像ボタンは、通常グリップした状態で操作し易い場所に配置されるため、操作性し易く且つ顔の変更操作及び確定操作時にビデオカメラのブレを防止することが可能となる。
【００６５】
その上、撮像者が顔の変更操作を静止画撮像ボタンの半押し操作で行い、全押し操作にて確定操作を行うことで選択中の顔に対して顔ＡＦ、顔ＡＥ、顔ＡＷＢ等の最適化された撮像処理を行う構成とした。よって、選択の過程において、顔ＡＦ、顔ＡＥ、顔ＡＷＢ等の撮像処理を行わないため、撮像動画像が見苦しくなるのを防止することが可能となる。
【００６６】
［第２の実施の形態］
第２の実施の形態におけるビデオカメラの構成は、図１〜３に示した第１の実施の形態におけるビデオカメラ１００と同じ構成となっているので、それらを流用する。
【００６７】
第１の実施形態では、撮像者が所望する顔を選択する場合の顔の変更操作及び確定操作に静止画撮像ボタンを使用している。これに対し、第２の実施形態では、動画撮像中に静止画を撮像する場合の処理動作について説明する。
【００６８】
図９は、図３におけるＣＰＵ１１３により実行される第２の実施の形態における撮像処理の手順を示すフローチャートである。
【００６９】
図９に示される撮像処理は、動画撮像モード時における顔選択及び確定処理手順を含んでいる。また、第２の実施の形態では、静止画撮像ボタン１１４ｂにて、撮像者が所望する顔を選択する場合の顔の変更操作及び確定操作と静止画撮像操作を行うことが可能となる。また、この撮像処理は、撮像者が電源ボタン１１４ｃの押圧により電源を入れ、モードダイヤル１１４ｄを動画撮像モードに設定すると開始される。ここで、動画撮像モード時における顔選択及び確定処理と静止画撮像処理は、撮像中及び撮像待機中に係らず同一の例として説明するため、撮像中及び撮像待機中かの記載については省略する。
【００７０】
ステップＳ２０１〜Ｓ２０４は、第１の実施形態で説明した図４のＳ１０１〜Ｓ１０４と同様の処理であるため、説明を省略する。
【００７１】
ステップＳ２０４の判別の結果、静止画撮像ボタン１１４ｂが半押しされたとき（ステップＳ２０４でＹＥＳ）、静止画撮像ボタン１１４ｂが半押しされてからの時間カウントを開始する（ステップＳ２０５）。
【００７２】
次いで、時間カウントが開始されてから経過したカウント時間Ｔ１が、予め定められた時間Ｔより大きいか否かを判別する（ステップＳ２０６）。ステップＳ２０６の判別の結果、カウント時間Ｔ１が、予め定められた時間Ｔより大きいとき（ステップＳ２０６でＹＥＳ）、上述したステップＳ１０５の顔選択変更処理を行う（ステップＳ２０９）。
【００７３】
次いで、静止画撮像ボタン１１４ｂが全押しされたか否かを判別する（ステップＳ２１０）。ステップＳ２１０の判別の結果、静止画撮像ボタン１１４ｂが全押しされないとき（ステップＳ２１０でＮＯ）、ステップＳ２０４に戻る。
【００７４】
一方、静止画撮像ボタン１１４ｂが全押しされたとき（ステップＳ２１０でＹＥＳ）、上述したステップＳ１０４と同様に現在選択中の顔を確定し、顔ＡＦ、顔ＡＥ、顔ＡＷＢ等の最適化された撮像処理を行い（ステップＳ２１１）、ステップＳ２０４に戻る。
【００７５】
一方、ステップＳ２０６の判別の結果、カウント時間Ｔ１が、予め定められた時間Ｔ以下であるとき（ステップＳ２０６でＮＯ）、さらに静止画撮像ボタン１１４ｂが全押しされたか否かを判別する（ステップＳ２０７）。
【００７６】
ステップＳ２０７の判別の結果、静止画撮像ボタン１１４ｂが全押しされたとき（ステップＳ２０７でＹＥＳ）、現在選択中の顔を確定し、顔ＡＦ、顔ＡＥ、顔ＡＷＢ等の最適化された静止画撮像を行い（ステップＳ２０８）、ステップＳ２０４に戻る。
【００７７】
一方、静止画撮像ボタン１１４ｂが全押されていないとき（ステップＳ２０７でＮＯ）、ステップＳ２０６に戻る。
【００７８】
このように、第２の実施の形態では、静止画撮像ボタンが半押し操作されてから全押し操作されるまでの時間をカウントし、予め定められた時間以下であれば、動画撮像中に静止画を撮像する構成とした。
【００７９】
よって、撮像者は静止画撮像ボタンを半押しから全押しまで一気に操作することで、動画撮像中に静止画を撮像することが可能となる。また、撮像者は顔の変更操作を静止画撮像ボタンの半押し操作で行い、全押し操作にて確定操作を行うような半押し操作から全押し操作まである程度時間がかかる操作と使い分けることが出来る。
【００８０】
その結果、動画撮像中の静止画撮像との顔の変更操作及び確定操作が単一の操作部材の静止画撮像ボタンで可能となる。さらに新たに専用の操作部材を設ける必要が無いため、撮像装置本体の大型化を防止することが可能となる。
【００８１】
図９の処理によれば静止画撮像ボタン１１４ｂが半押し操作されてから全押し操作されるまでに経過した時間Ｔ１が予め定められた時間Ｔ以下のときに半押し操作された時点で選択枠５０１が重畳された顔を主被写体として撮像するように撮像部１０２を制御する。その結果、対象物の変更操作及び確定操作専用の新たな操作部材を設けることなく、撮像者の操作を簡略化したビデオカメラ１００を提供することができる。
【００８２】
［第３の実施の形態］
第２の実施の形態におけるビデオカメラの構成は、図１〜３に示した第１の実施の形態におけるビデオカメラ１００と同じ構成となっているので、それらを流用する。第３の実施の形態では、動画撮像モード時におけるズーム操作の処理動作について説明する。
【００８３】
また、第３の実施の形態においても、第１の実施の形態と同様に、静止画撮像ボタンを操作することで、撮像者が所望する顔を選択する場合の顔の変更操作及び確定操作が可能である。
【００８４】
図１０は、図３におけるＣＰＵ１１３により実行される第３の実施の形態における撮像処理の手順を示すフローチャートである。
【００８５】
図１０に示される撮像処理は、ビデオカメラ１００の動画撮像モード時におけるズーム操作の処理手順を含む。また、第３の実施の形態では、静止画撮像ボタン１１４ｂの押圧状態によって、顔を中心として画角変更を行う顔ズームと光軸を中心として画角変更を行う通常ズームとに変更することが可能である。 
【００８６】
図１０において、ズームツマミ１１４ａが操作されたか否かを判別する（ステップＳ３０１）。ステップＳ３０１の判別の結果、ズームツマミ１１４ａが操作されたとき（ステップＳ３０１でＹＥＳ）、さらに静止画撮像ボタン１１４ｂが半押し状態か否かを判別する（ステップＳ３０２）。なお、ステップＳ３０１では、ズームツマミ１１４ａが操作されるまで、ズームツマミ１１４ａが操作されたか否かが判別される。
【００８７】
ステップＳ３０２の判別の結果、静止画撮像ボタン１１４ｂが半押し状態でないとき（ステップＳ３０２でＮＯ）、ズームツマミ１１４ａの操作量に応じて、光軸を中心とて画角変更を行う通常ズーム処理を行い（ステップＳ３０５）、ステップＳ３０１に戻る。ここでのズームにつては、後に説明する。
【００８８】
一方、静止画撮像ボタン１１４ｂが半押し状態であるとき（ステップＳ３０２でＹＥＳ）、図４のステップＳ１０４と同様に現在選択中の顔を確定し、顔ＡＦ、顔ＡＥ、顔ＡＷＢ等の最適化された撮像処理を行う（ステップＳ３０３）。
【００８９】
そして、ズームツマミ１１４ａの操作量に応じて、現在選択中の顔を中心として画角変更を行う顔ズーム処理を行い（ステップＳ３０４）、ステップＳ３０１に戻る。ここでのズームにつては、後に説明する。
【００９０】
図１１は、図８に示す画面の状態で、図１０のステップＳ３０５における通常ズーム処理後に表示部１０５に表示された画面の一例を示す図である。
【００９１】
図１１に示されるように、この画面は図８に示される画面の状態で、光軸を中心とて画角変更を行う通常ズーム処理を行ったものとなっている。どれだけズームするかは、上述したようにズームツマミ１１４ａの操作量に応じたものとなる。
【００９２】
図１２は、図８に示す画面の状態で、図１０のステップＳ３０４における顔ズーム処理後に表示部１０５に表示された画面の一例を示す図である。
【００９３】
図１２に示されるように、この画面は図８に示される画面の状態で、現在選択中の顔を中心として所定画角を切り出し、記録フォーマット上の解像度まで拡大するデジタルズーム処理である顔ズーム処理を行ったものとなっている。どれだけズームするかは、上述したようにズームツマミ１１４ａの操作量に応じたものとなる。
【００９４】
このように、第３の実施の形態では、静止画撮像ボタンの半押しの押圧状態によって、顔を中心として画角変更を行う顔ズームと光軸を中心として画角変更を行う通常ズームとに変更する構成とした。 
【００９５】
その結果、静止画撮像ボタンを半押し状態にてズームツマミを操作することで、撮像者が所望する顔へのズームが簡単かつ迅速に行うことが可能となる。
【００９６】
図１０の処理によれば、静止画撮像ボタン１１４ｂが半押し操作され、ズームツマミ１１４ａが操作されたとき、選択枠５０１が重畳された顔を中心として画角を変化させることができる。
【００９７】
（他の実施の形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００９８】
１００  ビデオカメラ
１０２  撮像部
１０５  表示部
１０８  顔検出処理部
１１３  ＣＰＵ
１１４  操作部
１１４ａ  ズームツマミ
１１４ｂ  静止画撮像ボタン
【図１】
0005800625.tif 000002
【図２】
0005800625.tif 000003
【図３】
0005800625.tif 000004
【図４】
0005800625.tif 000005
【図５】
0005800625.tif 000006
【図６】
0005800625.tif 000007
【図７】
0005800625.tif 000008
【図８】
0005800625.tif 000009
【図９】
0005800625.tif 000010
【図１０】
0005800625.tif 000011
【図１１】
0005800625.tif 000012
【図１２】
0005800625.tif 000013